(57)【要約】【課題】キャリアと通信可能な各通信端末単体で容易に他のキャリアの通信回線を利用することができる情報処理装置および制御方法を提供する。【解決手段】コンピュータ２０に予め登録された携帯電話端末１０を検出した場合、携帯電話端末１０が備えているＳＩＭ情報をＢＴ  Ｉ／Ｆ２５を介して受信し、受信したＳＩＭ情報を用いて３Ｇネットワーク部２１を介してキャリアＢと通信を行う。【選択図】      図２
2008011416.tif 000002
【特許請求の範囲】
【請求項１】
第１無線通信手段と、
第２無線通信手段と、
前記第２無線通信手段により通信可能な所定の通信装置の機器情報を記憶する記憶手段と、
前記第２無線通信手段により前記機器情報に基づいて前記通信装置を検出する検出手段とを備え、
前記検出手段により前記通信装置を検出した場合、前記通信装置が備えている所定のキャリア通信網に接続するための認証情報を前記第２無線通信手段を介して受信し、受信した認証情報を用いて前記第１無線通信手段を介して前記所定のキャリア通信網に接続することを特徴とする情報処理装置。
【請求項２】
請求項１に記載の情報処理装置において、
前記第１無線通信手段は携帯電話会社のキャリア通信網であり、前記認証情報は、ＳＩＭカードであることを特徴とする情報処理装置。
【請求項３】
請求項２に記載の情報処理装置において、
前記キャリア通信網とは別のキャリア通信網と通信するための認証情報をさらに備えていることを特徴とする情報処理装置。
【請求項４】
請求項３に記載の情報処理装置において、
前記認証情報と、前記別のキャリア通信網と通信するための認証情報とは、互いに排他的に機能することを特徴とする情報処理装置。
【請求項５】
請求項１に記載の情報処理装置において、
前記通信装置は、当該情報処理装置に送信した場合、前記第１無線通信手段との通信機能を停止することを特徴とする情報処理装置。
【請求項６】
請求項１に記載の情報処理装置において、
前記記憶手段は、所定の通信装置の機器情報を記憶する場合、前記第２無線通信手段により機器情報を前記通信装置から受信して記憶することを特徴とする情報処理装置。
【請求項７】
請求項１に記載の情報処理装置において、
前記第２無線通信手段は、近距離無線通信手段であることを特徴とする情報処理装置。
【請求項８】
第１無線通信手段と、第２無線通信手段と、前記第２無線通信手段により通信可能な所定の通信装置の機器情報を記憶する記憶手段と、前記第２無線通信手段により前記機器情報に基づいて前記通信装置を検出する検出手段とを備えた情報処理装置の制御方法であって、
前記検出手段により前記通信装置を検出した場合、前記通信装置が備えている所定のキャリアと接続するための認証情報を前記第２無線通信手段により受信する受信ステップと、
前記受信ステップにより受信した認証情報を用いて前記第１無線通信手段を介して前記所定のキャリアと接続する接続ステップと
を有することを特徴とする制御手段。
【請求項９】
請求項８に記載の制御方法において、
前記第１無線通信手段は携帯電話会社のキャリア通信網であり、前記認証情報は、ＳＩＭカードであることを特徴とする制御方法。
【請求項１０】
請求項９に記載の情報処理装置において、
前記キャリア通信網とは別のキャリア通信網と通信するための認証情報をさらに備えていることを特徴とする制御方法。
【請求項１１】
請求項１０に記載の情報処理装置において、
前記認証情報と、前記別のキャリア通信網と通信するための認証情報とは、互いに排他的に機能することを特徴とする制御方法。
【請求項１２】
請求項８に記載の制御方法において、
前記通信装置は、当該情報処理装置に送信した場合、前記第１無線通信手段との通信機能を停止することを特徴とする制御方法。
【請求項１３】
請求項８に記載の制御方法において、
前記記憶手段は、所定の通信装置の機器情報を記憶する場合、前記第２無線通信手段により機器情報を前記通信装置から受信して記憶することを特徴とする制御方法。
【請求項１４】
請求項８に記載の制御方法において、
前記第２無線通信手段は、近距離無線通信手段であることを特徴とする制御方法。
【発明の詳細な説明】
【技術分野】
【０００１】
本発明は、予め登録された通信機器からＳＩＭ情報を無線で受信することで、一時的に別のキャリアの通信回線を利用することができる情報処理装置および制御方法に関する。
【背景技術】
【０００２】
一般的に、ＳＩＭ（Subscriber Identity Module）情報を記憶したカード（ＳＩＭカード）を用いた携帯電話や情報機器では、ＳＩＭカード内の認証情報を用いて、契約したキャリアの通信回線に接続する。また、複数の認証情報を用いたものとしては、例えば特開２００３−２４４２９０号公報に開示されているように、複数のＳＩＭ情報を記憶した装置から所定のＳＩＭ情報を無線で受信して、受信したＳＩＭ情報に対応したキャリアと通信を行う通信端末を用いた技術がある（特許文献１参照）。
【特許文献１】特開２００３−２４４２９０号公報
【発明の開示】
【発明が解決しようとする課題】
【０００３】
しかし、上述した技術では、複数のＳＩＭ情報を記憶した専用の装置が必要になる。また、当該装置は、所定のキャリア通信網に接続することのなく、ＳＩＭ情報を記憶し、所定の端末に送信するだけの装置であるので、当該装置の導入にコストが掛かり、設定作業も煩雑となる。
【０００４】
本発明の目的は、キャリアと通信可能な各通信端末単体で容易に他のキャリアの通信回線を利用することができる情報処理装置および制御方法を提供することである。
【課題を解決するための手段】
【０００５】
上記目的を達成するために、本発明の一態様によれば、第１無線通信手段と、第２無線通信手段と、前記第２無線通信手段により通信可能な所定の通信装置の機器情報を記憶する記憶手段と、前記第２無線通信手段により前記機器情報に基づいて前記通信装置を検出する検出手段とを備え、前記検出手段により前記通信装置を検出した場合、前記通信装置が備えている所定のキャリアと接続するための認証情報を前記第２無線通信手段を介して受信し、受信した認証情報を用いて前記第１無線通信手段を介して前記所定のキャリアと接続することを特徴とする情報処理装置が提供される。
【発明の効果】
【０００６】
本発明を用いることにより、キャリアと通信可能な各通信端末単体で容易に他のキャリアの通信回線を利用することができる。
【発明を実施するための最良の形態】
【０００７】
以下図面を参照して、本発明の実施形態について説明する。
【０００８】
図１は、本発明の一実施形態に係る情報処理装置と、この情報処理装置とＳＩＭ（Subscriber Identity Module）情報の共有が可能な通信端末とを示した構成図である。
【０００９】
この情報処理装置は、バッテリ駆動可能なノートブック型コンピュータ２０として実現されている。また、通信端末は、携帯電話端末１０として実現されている。
【００１０】
図１に示すように、コンピュータ（装置Ｂ）２０は、キャリアＢ（例えば、携帯電話会社Ｂの第３世代の通信網）に接続するための通信装置である例えば３Ｇ（第３世代）ネットワークのモデムカードである３Ｇネットワーク部（第１無線通信手段）２１、キャリアＢと通信する際の認証情報（ＳＩＭ情報）を記憶したＳＩＭスロット２４に装着されているＳＩＭカード（ＳＩＭ  Ｂカード）２４ａ、携帯電話端末１０と近距離無線を使って接続するためのBluetooth（登録商標）通信装置（以下、ＢＴ  Ｉ／Ｆ（インターフェース）とも称する：第２無線通信手段）２５、サウスブリッジ２６と、サウスブリッジ２６に接続されているＢＩＯＳ２７、ノースブリッジ２８と、ノースブリッジ２８を介して接続されているＣＰＵ（Central Processing Unit）２９、ＧＰＵ（Graphical Processing Unit）３０、オペレーションシステムや各種アプリケーション、ユーティリティ等を記憶するＨＤＤ（ハードディスクドライブ）３１、ＲＡＭ（メモリ）３２等から構成されている。
【００１１】
また、３Ｇネットワーク部２１は、制御部２３および無線部２２から構成されている。制御部２３は、例えばＲＯＭ２３ａ、ＲＡＭ２３ｂ、ｕ−ｃｏｍ２３ｃから構成されており、無線部２２は、Ｍａｃ２２ａ、ＲＦ（高周波回路部）２２ｂから構成されている。さらに、Bluetooth（登録商標：以下ＢＴとも称す）通信装置２５は、Ｍａｃ２５ｂ、ＲＦ（高周波回路部）２５ａから構成されている。無線部２２は、携帯電話会社Ｂの第３世代の通信網の基地局４１と接続する。
【００１２】
携帯電話端末（装置Ａ）１０は、無線部１１、制御部１２、ＢＴ  Ｉ／Ｆ１３、ＳＩＭスロット１４に装着されているＳＩＭカード（ＳＩＭ  Ａカード）１４ａ等から構成されている。無線部１１は、携帯電話会社Ａの第３世代の通信網の基地局４０と接続する。
【００１３】
また、無線部１１は、Ｍａｃ１１ａ、ＲＦ（高周波回路部）１１ｂから構成されている。さらに、ＢＴ  Ｉ／Ｆ１３は、ＲＦ（高周波回路部）１３ａ、Ｍａｃ１３ｂから構成されており、制御部１２は、ＲＯＭ１２ａ、ＲＡＭ１２ｂ、ｕ−ｃｏｍ１２ｃから構成されている。
【００１４】
次に、本発明の実施形態に係る情報処理装置を適用した制御方法について、図２〜４のフローチャートを参照して説明する。
【００１５】
図２は、上述した携帯電話端末（装置Ａ）１０の初期設定の例を示したフローチャートである。この初期設定は、ＳＩＭ情報貸し出し機能を備えた携帯電話端末１０の機器情報（例えば、ＢＴ  ＩＤ等）を予めコンピュータ２０に登録したり、コンピュータ２０の情報を携帯電話端末１０に登録するものである。
【００１６】
携帯電話端末１０の制御部１２は、ＲＯＭ１２ａに記憶されているユーティリティ（Utility）を起動し、ＳＩＭ情報貸し出し機能に対応した機器からＢＴ機器として登録可能な待ち受け状態とする（ステップＳ１０１）。ＢＴ  Ｉ／Ｆ１３を経由して、ＳＩＭ情報貸し出し機能に対応した機器、例えばコンピュータ２０から問い合わせを受けた場合に応答する（ステップＳ１０２）。携帯電話端末１０の制御部１２は、コンピュータ２０から問い合わせを受けると、個別認証情報として、例えばＢＴ  ＩＤをＢＴ  Ｉ／Ｆ１３を経由して交換し、携帯電話端末１０にコンピュータ２０の機器情報を登録する（ステップＳ１０３）。以上で、携帯電話端末１０の初期設定を終了する。
【００１７】
次に、図３は、上述したコンピュータ（装置Ｂ）２０の初期設定の例を示したフローチャートである。
【００１８】
コンピュータ２０のＣＰＵ２９は、例えばＨＤＤ３１記憶されているユーティリティ（Utility）を起動し、ＢＴ  Ｉ／Ｆ２５を経由して、ＳＩＭ情報貸し出し機能に対応したＢＴ機器を探す（ステップＳ２０１）。コンピュータ２０のＣＰＵ２９は、対象となるＳＩＭ情報貸し出し機能に対応したＢＴ機器を検出すると（ステップＳ２０２のＹＥＳ）、個別認証情報として、例えばＢＴ  ＩＤをＢＴ  Ｉ／Ｆ２５を経由して交換し、コンピュータ２０に携帯電話端末１０を登録する（ステップＳ２０３）。以上で、コンピュータ２０の初期設定を終了する。なお、ユーティリティ（Utility）はＢＴの仕様に従って、ＢＴ  Ｉ／Ｆにおける機器の識別ＩＤとＳＩＭの関連付けをおこない、これらのデータを管理する。また、上述した初期設定では、携帯電話端末１０とコンピュータ２０とは、互いの機器情報をそれぞれ登録しているが、携帯電話端末１０の機器情報をコンピュータ２０側に登録するのみとしてもよい。
【００１９】
次に図４は、上述した携帯電話端末１０とコンピュータ２０とのＳＩＭ情報の貸し出しの方法を説明したフローチャートである。
【００２０】
以下は、一例として、キャリア通信網（移動体通信網）Ａを利用する携帯電話端末１０（ＳＩＭ  Ａ装着）と、キャリアＢコンピュータ２０（ＳＩＭ  Ｂ装着）を所有しているユーサが行う処理について説明する。このユーザは、通常使用しているエリアではＳＩＭ  Ｂで契約している内容にしたがってキャリアＢを用いてコンピュータ２０でデータ通信をおこなっている。しかし、例えば午後７時以降ではＳＩＭ  Ａで契約している契約の方が通信パケットの単価が安いので、キャリアＡを用いたＳＩＭ  Ａに切り替えてコンピュータ２０でデータ通信を行う。
【００２１】
以上のような場合に、コンピュータ（装置Ｂ）２０のＣＰＵ２９は、コンピュータ２０上で使用するＳＩＭ情報を切り替えるユーティリティ（Utility）を起動する。このとき、ＳＩＭ  ＢにてキャリアＢに接続している場合は接続を切断する（図１の（１）：ステップＳ４０１）。ユーティリティは、既に使用可能なＳＩＭ  Ａを搭載しているＢＴ機器として携帯電話端末１０が近傍に無いか、ＢＴ  Ｉ／Ｆ２５を介して捜査する。ＢＴ  Ｉ／Ｆ２５をＯＦＦしている場合はＯＮに切替える（図１の（２）：ステップＳ４０２）。
【００２２】
一方、携帯電話端末１０（装置Ａ）の制御部１２は、ＢＴ  Ｉ／Ｆ１２がＯＮであるかを判別し（ステップＳ３０１）、ＯＮでない場合には、ＢＴ  Ｉ／Ｆ１２をＯＮに切り替える（ステップＳ３０２）。次に、ＳＩＭ情報貸し出し機能の相手側である登録済みのＢＴ機器からのInquiry（問い合わせ）があるかを判別する（ステップＳ３０３）。
【００２３】
コンピュータ２０のユーティリティは、既に使用可能なＳＩＭ  Ａを搭載しているＢＴ機器として携帯電話端末１０が近傍に見つかった場合は（ステップＳ４０３のＹＥＳ）、登録機器である携帯電話端末１０とＢＴ  Ｉ／Ｆ２５を介して接続を確立する（図１の（２）：ステップＳ４０４）。同様に、携帯電話端末１０も登録されているコンピュータ２０とＢＴ  Ｉ／Ｆ１２を介して接続を確立する（図１の（２）：ステップＳ３０４）。
【００２４】
コンピュータ２０は、ＳＩＭ情報貸し出し機能の対象デバイスとして見つかった携帯電話端末１０の中から今回接続を希望するキャリアのＳＩＭを選択し（例えばＳＩＭ  Ａ）、携帯電話端末１０に対して、ＳＩＭ情報の借り出し要求をＢＴ  Ｉ／Ｆ２５を介しておこなう（図１（２）：ステップＳ４０５）。
【００２５】
携帯電話端末１０は、接続が確立されると、ＢＴ  Ｉ／Ｆ１２を介してＳＩＭ情報の貸出し要求を受取ったら、携帯電話端末１０自身がＳＩＭ  ＡのキャリアＡで通信状態に無いことを確認した上で、キャリアＡへの接続を解除し、貸出し要求元に対してＳＩＭ情報貸出しの承諾応答を返す（図１の（３）：ステップＳ３０５）。
【００２６】
コンピュータ２０は、ＳＩＭ情報借り出しの承諾の回答を携帯電話端末１０から受信したら、ＢＴ  Ｉ／Ｆ２５を介してＳＩＭ情報を読み出し要求を携帯電話端末１０に送信する（図１（３）：ステップＳ４０６）。
【００２７】
携帯電話端末１０は、ＳＩＭ情報貸出しを承諾したコンピュータ２０からＳＩＭ情報読み出しの要求を受信したら、ＳＩＭスロット２４に装着されているＳＩＭ  Ａ２４ａから情報を読み出し、ＢＴ  Ｉ／Ｆ２５を介して情報を送信する（図１（４）：ステップＳ３０６）。
【００２８】
コンピュータ２０は、ＢＴ  Ｉ／Ｆ２５を介してＳＩＭ情報を受信したら、受信した情報を３Ｇネットワーク部２１に送りＳＩＭ  Ａの対応しているキャリアＡに接続する（図１（５）：ステップＳ４０７）。
【００２９】
なお、ユーザが例えば、午後７時以降の電話の発着信はＳＩＭ  Ｂで契約している内容で受けるように設定してあるならば、コンピュータ２０はＳＩＭ  Ｂの契約のキャリアへの接続を切断し、ＳＩＭ  Ｂの情報を携帯電話端末１０に転送しておく。このような設定になっていない場合、携帯電話端末１０はＳＩＭの装着されていない状態に設定され、省電力モードに入る。
【００３０】
そしてＳＩＭ  Ａの情報を受け取ったコンピュータ２０はＳＩＭ  Ａの情報で移動体通信網へ接続し、データ通信をおこない、またＳＩＭ  Ｂの情報を受け取った携帯電話端末１０はＳＩＭ  Ｂの情報で移動体通信網へ接続して待ち受け状態に入る。なお、ＳＩＭ  ＡとＳＩＭ  Ｂのキャリア（移動体通信網）は同一でなくともよい。
【００３１】
以上、本実施形態を用いることにより、単独で通信可能な機器構成を備えた通信機器同士でも、互いのＳＩＭカードなどに格納している情報を交換し合い、それぞれの属している通信網に相互に接続することができる。これにより、ＳＩＭ情報の管理を容易にし、その時々の状況で使用可能な通信網への直接の接続を選択することができる。
【００３２】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３３】
【図１】本発明の一実施形態に係る情報処理装置と、この情報処理装置とＳＩＭ情報の共有が可能な通信端末とを示した構成図。
【図２】携帯電話端末の初期設定の例を示したフローチャート。
【図３】コンピュータの初期設定の例を示したフローチャート。
【図４】携帯電話端末とコンピュータとのＳＩＭ情報の共有の方法を説明したフローチャート。
【符号の説明】
【００３４】
１０…携帯電話端末、１１…無線部、１２．ＢＴ…制御部、１２…制御部、１２ａ…ＲＯＭ、１４…ＳＩＭスロット、１４ａ…ＳＩＭカード、２０…コンピュータ、２１…Ｇネットワーク部、２２…無線部、２３…制御部、２４…ＳＩＭスロット、２４ａ…ＳＩＭカード、２６…サウスブリッジ、２７…ＢＩＯＳ、２８…ノースブリッジ、２９…ＣＰＵ、３１…ＨＤＤ、４０、４１…基地局
【図１】
2008011416.tif 000003
【図２】
2008011416.tif 000004
【図３】
2008011416.tif 000005
【図４】
2008011416.tif 000006